(57)【要約】【課題】スイッチ操作状態を表示できる自己発電型無線通信技術を用いたスイッチ装置および照明装置を提供する。【解決手段】スイッチ装置11は、第１の操作部36および第２の操作部37、送信器16、表示機構18を備える。第１の操作部36および第２の操作部37は、それぞれ押動操作される。送信器16は、押動操作される第１の操作部36の動きに応じて発電し、発電した電力によって第１の無線信号を送信するとともに、押動操作される第２の操作部37の動きに応じて発電し、発電した電力によって第２の無線信号を送信する。表示機構18は、押動操作される第１の操作部36の動きに応じて第１の表示部51を表示するとともに、押動操作される第２の操作部37の動きに応じて第２の表示部52を表示する。【選択図】図１
2017027915.tif 000002
【特許請求の範囲】
【請求項１】
それぞれ押動操作される第１の操作部および第２の操作部と；
押動操作される前記第１の操作部の動きに応じて発電し、この発電した電力によって第１の無線信号を送信するとともに、押動操作される前記第２の操作部の動きに応じて発電し、この発電した電力によって第２の無線信号を送信する送信器と；
押動操作される前記第１の操作部の動きに応じて第１の表示部を表示するとともに、押動操作される前記第２の操作部の動きに応じて第２の表示部を表示する表示機構と；
を具備することを特徴とするスイッチ装置。
【請求項２】
前記表示機構は、押動操作される前記第１の操作部の動きに応じてその押動操作方向に対して交差する第１の方向に移動するとともに、押動操作される前記第２の操作部の動きに応じてその押動操作方向に対して交差する第２の方向に移動する移動体と、前記第１の表示部および前記第２の表示部を有し、前記移動体の前記第１の方向への移動によって前記第１の表示部を表示するとともに、前記移動体の前記第２の方向への移動によって前記第２の表示部を表示する表示体とを備える
ことを特徴とする請求項１記載のスイッチ装置。
【請求項３】
前記移動体は、押動操作される前記第１の操作部の動きに応じて定位置から前記第１の方向に移動するとともに押動操作の解除に伴う前記第１の操作部の動きに応じて定位置に復帰し、押動操作される前記第２の操作部の動きに応じて定位置から前記第２の方向に移動するとともに押動操作の解除に伴う前記第２の操作部の動きに応じて定位置に復帰し、
前記表示体は、前記移動体が前記定位置から前記第１の方向および前記第２の方向にそれぞれ移動するときに押動されて各方向に移動するとともに、前記移動体が定位置へ復帰するときには移動せずにとどまる
ことを特徴とする請求項２記載のスイッチ装置。
【請求項４】
前記移動体による前記表示体の移動を可能とするとともに前記移動体によって移動された前記表示体を保持する保持体を具備する
ことを特徴とする請求項２または３記載のスイッチ装置。
【請求項５】
請求項１ないし４いずれか一記載のスイッチ装置と；
前記スイッチ装置の前記送信器から送信される前記第１の無線信号および前記第２の無線信号を受信し、照明状態を切り換える照明器具と；
を具備することを特徴とする照明装置。
【発明の詳細な説明】
【技術分野】
【０００１】
本発明の実施形態は、自己発電型無線通信技術を用いたスイッチ装置、およびこのスイッチ装置を用いた照明装置に関する。
【背景技術】
【０００２】
従来、照明器具や換気扇等の電気機器を操作するスイッチ装置として壁スイッチがある。壁スイッチは、電気機器と配線されていて電源供給されるため、壁スイッチの例えばオン・オフ等のスイッチ操作状態を表示ランプ等で表示したり、壁スイッチの操作部が操作に応じて動いていることにより、スイッチ装置を見ればスイッチ操作状態を把握することができている。
【０００３】
また、自己発電型無線通信技術を用いたスイッチ装置が知られている。このスイッチ装置は、外部からの電源供給やバッテリを備えず、スイッチ装置の操作部の押動操作に応じて発電し、この発電した電力によって無線信号を送信する。
【０００４】
この自己発電型無線通信技術を用いたスイッチ装置は、外部やバッテリからの電源供給がないため、表示ランプ等を用いてスイッチ操作状態を表示することができず、また、スイッチ装置の構造上、スイッチ装置の操作部を操作した後は元の状態に復帰するため、スイッチ装置を見てもスイッチ操作状態を把握することができなかった。
【先行技術文献】
【特許文献】
【０００５】
【特許文献１】特開２０１１−２１６３１４号公報
【発明の概要】
【発明が解決しようとする課題】
【０００６】
本発明が解決しようとする課題は、スイッチ操作状態を表示できる自己発電型無線通信技術を用いたスイッチ装置および照明装置を提供することである。
【課題を解決するための手段】
【０００７】
実施形態のスイッチ装置は、第１の操作部および第２の操作部、送信器、表示機構を備える。第１の操作部および第２の操作部は、それぞれ押動操作される。送信器は、押動操作される第１の操作部の動きに応じて発電し、発電した電力によって第１の無線信号を送信するとともに、押動操作される第２の操作部の動きに応じて発電し、発電した電力によって第２の無線信号を送信する。表示機構は、押動操作される第１の操作部の動きに応じて第１の表示部を表示するとともに、押動操作される第２の操作部の動きに応じて第２の表示部を表示する。
【発明の効果】
【０００８】
本発明によれば、スイッチ操作状態を表示できる自己発電型無線通信技術を用いたスイッチ装置を提供することが期待できる。
【図面の簡単な説明】
【０００９】
【図１】一実施形態を示すスイッチ装置の正面図である。
【図２】同上スイッチ装置の断面図である。
【図３】同上スイッチ装置の表示機構の平面図である。
【図４】同上スイッチ装置の表示機構の正面図である。
【図５】同上スイッチ装置の第１の操作部を押動操作した状態の表示機構の平面図である。
【図６】同上スイッチ装置の第１の操作部の押動操作を解除した状態の表示機構の平面図である。
【図７】同上スイッチ装置のブロック図である。
【図８】同上スイッチ装置および照明器具を備えた照明装置のブロック図である。
【発明を実施するための形態】
【００１０】
以下、一実施形態を、図１ないし図８を参照して説明する。
【００１１】
図８に示すように、照明装置10は、自己発電型無線通信技術を用いたスイッチ装置11、およびこのスイッチ装置11によって操作される照明器具12を備えている。スイッチ装置11の操作に応じて送信される無線信号を照明器具12が受信し、照明器具12の照明状態が切り換わるように構成されている。本実施形態では、スイッチ装置11のオン・オフ操作に応じて、照明器具12の照明状態として点灯・消灯が切り換わるものとしている。
【００１２】
そして、図１および図２に示すように、スイッチ装置11は、例えば、壁面に設置される壁スイッチである。スイッチ装置11は、筐体15、送信器16、操作体17、および表示機構18を備えている。
【００１３】
筐体15は、内部に送信器16および表示機構18を収容する空間部21を有する四角形のボックス状に形成されており、裏面が壁面に取り付けられる。筐体15の前面には、操作体17が配置される四角形状の開口部22が形成され、この開口部22よりも上方で筐体15の幅方向中央に表示窓23が形成されている。
【００１４】
また、送信器16は、開口部22に対向するように筐体15の空間部21に収容固定されている。送信器16は、送信器本体26、この送信器本体26の前面の幅方向両側にそれぞれ設けられた第１の接点部27および第２の接点部28、送信器本体26の幅方向両側部にそれぞれ突設された第１の揺動部29および第２の揺動部30を備えている。各接点部27，28は、常開接点であり、前方から押圧されることによって接点が閉じるように構成されている。各揺動部29，30は、前後方向に揺動可能で、前方に向けて揺動するようにばねで付勢されている。
【００１５】
図７に示すように、送信器16は、各接点部27，28、発電部31および送信部32を有している。発電部31および送信部32は、送信器本体26内に収容されている。
【００１６】
発電部31は、コイルと磁石を用いた電磁誘導を利用し、各揺動部29，30が押動されたとき、およびその押動が解除されて各揺動部29，30がばね付勢によって復帰するときに、それぞれ発電する。
【００１７】
送信部32は、第１の接点部27または第２の接点部28が閉じているときに発電部31が発電すると、発電部31が発電した電力によって第１の無線信号または第２の無線信号を送信する。すなわち、第１の接点部27が閉じているときには発電部31での発電によって第１の無線信号を出力し、第２の接点部28が閉じているときには発電部31での発電によって第２の無線信号を出力する。これら第１および第２の無線信号には、送信器16の固有のアドレス情報がそれぞれに含まれているとともに、異なる制御情報がそれぞれに含まれている。第１の無線信号の制御情報には照明器具12を点灯させるオン制御情報が含まれ、第２の無線信号の制御情報には照明器具12を消灯させるオフ制御情報が含まれている。
【００１８】
また、図１ないし図３に示すように、操作体17は、筐体15の開口部22に配置される四角形板状に形成されている。操作体17の上下の幅方向中央から軸35がそれぞれ突設され、これら上下の軸35が筐体15に軸支されている。したがって、操作体17は、筐体15に対して、上下の軸35を支点として操作体17の左右両側が前後方向に動くように揺動可能に支持されている。なお、操作体17は、送信器本体26に揺動可能に取り付けるように構成してもよい。
【００１９】
操作体17の一側である左側に第１の操作部36が形成され、他側である右側に第２の操作部37が形成されている。第１の操作部36または第２の操作部37が前方から筐体15内へ向けて押動操作されることにより、操作体17が軸35を中心として揺動する。本実施形態では、第１の操作部36は照明器具12を点灯させる点灯用であり、第２の操作部37は照明器具12を消灯させる消灯用である。
【００２０】
操作体17の背面には、第１の接点部27および第２の接点部28をそれぞれ押圧する第１の接点作用部38および第２の接点作用部39が突設されているとともに、第１の揺動部29および第２の揺動部30をそれぞれ押動する第１の発電作用部40および第２の発電作用部41が突設されている。
【００２１】
そして、操作体17は、操作体17の前面が筐体15の前面と平行になっている状態を定位置としている。操作体17の定位置では、第１および第２の発電作用部40，41に送信器16の第１および第２の揺動部29，30がそれぞれ当接し、操作体17が定位置に保持されており、また、第１および第２の接点作用部38，39は送信器16の第１および第２の接点部27，28を押圧しておらず、第１および第２の接点部27，28は開いている。
【００２２】
また、図１ないし図４に示すように、表示機構18は、筐体15内で送信器16の上方に配設されている。表示機構18は、第１の表示作用部44および第２の表示作用部45、表示体46、移動体47および保持体48を備えている。
【００２３】
第１の表示作用部44は、操作体17の第１の操作部36の背面から突設されている。第２の表示作用部45は、操作体17の第２の操作部37の背面から突設されている。これら表示作用部44，45は、操作体17の背面から垂直に突出された円柱状のロッド部49、およびこのロッド部49の先端から上下方向に突設された円柱状のガイド部50をそれぞれ備えている。
【００２４】
表示体46は、第１の表示部51および第２の表示部52を備えている。表示体46は、平板状に形成され、左側半分の領域に第１の表示部51が形成され、右側半分の領域に第２の表示部52が形成されている。第１の表示部51と第２の表示部52とは、異なる表示形態に形成され、例えば異なる色に形成されている。なお、表示形態としては、「ＯＮ」および「ＯＦＦ」の文字や、スイッチ操作状態に応じた図柄等を表示してもよい。
【００２５】
表示体46は、筐体15内でこの筐体15の幅方向に移動可能に配設されている。表示体46には、保持体48と係合する受部53が形成されている。受部53は、第１の表示部51および第２の表示部52のそれぞれの下部に形成された三角形状の窪み部54によって構成されている。
【００２６】
移動体47は、筐体15内でこの筐体15の幅方向に移動可能に配設されている。移動体47の中央には、表示体46が配置される係合部55が形成されている。係合部55は、表示体46の幅よりも広く、表示体46の幅の３/２程度の幅の溝56によって構成されている。溝56には、表示体46の第１の表示部51側の側面に当接可能な第１の縁部56a、表示体46の第２の表示部52側の側面に当接可能な第２の縁部56bが設けられている。
【００２７】
移動体47の両端には、操作体17から突出する第１の表示作用部44のガイド部50および第２の表示作用部45のガイド部50がそれぞれ係合する第１の溝部57および第２の溝部58が形成されている。これら溝部57，58は、移動体47の中央寄りの溝部57，58の一端が移動体47の前寄りに位置し、移動体47の端寄りの溝部57，58の他端が移動体47の後寄りに位置し、移動体47の前面に対して斜めに形成されている。溝部57，58内に係合するガイド部50は、溝部57，58内を移動可能とし、操作体17が定位置にあるときには溝部57，58の中央に位置されている。そして、移動体47は、操作体17の定位置に対応して、ガイド部50が溝部57，58の中央に位置する状態、すなわち操作体17の幅方向の中央と移動体47の幅方向の中央とが一致する状態を、定位置としている。さらに、移動体47は、押動操作される第１の操作部36の動きに応じてその押動操作方向に対して交差する第１の方向A1に移動するとともに、押動操作される第２の操作部37の動きに応じてその押動操作方向に対して交差する第２の方向A2に移動する。
【００２８】
保持体48は、筐体15または筐体15内に配設された送信器本体26上に配設され、位置固定とされている。保持体48には、移動体47によって幅方向に移動された表示体46の受部53に係合してその表示体46を移動位置に保持する保持部59が形成されている。保持部59は、表示体46の窪み部54に係合可能で、保持体48の上面に形成された三角形状の突部60によって構成されている。突部60は、保持体48の幅方向の３箇所に形成されているが、３箇所のうちの少なくとも中央に形成されていれば、表示体46が左右のいずれに移動しても表示体46の窪み部54に係合して保持可能とする。
【００２９】
また、図８に示すように、照明器具12は、器具本体63、光源64、この光源64を点灯させる点灯装置65、スイッチ装置11から送信される第１および第２の無線信号を受信する受信部66、この受信部66で受信した第１のおよび第２の無線信号に応じて点灯装置65を制御する制御部67を備えている。制御部67は、予め対応付けられているスイッチ装置11のアドレス情報が含まれる無線信号を取り込み、制御情報に応じて点灯装置65を制御する。
【００３０】
次に、本実施形態の作用を説明する。
【００３１】
スイッチ装置11の操作前の状態では、操作体17が筐体15の前面に平行な定位置にあって、第１および第２の発電作用部40，41に送信器16の第１および第２の揺動部29，30がそれぞれ当接し、操作体17が定位置に保持されており、また、第１および第２の接点作用部38，39は送信器16の第１および第２の接点部27，28を押圧しておらず、第１および第２の接点部27，28は開いている。
【００３２】
表示機構18は、最後に操作されたスイッチ操作状態を表示している。図１および図３には、最後に消灯用の第２の操作部37が操作されたことを示す第２の表示部52を表示窓23に表示している。そのため、表示窓23から表示される第２の表示部52を見ることにより、スイッチ装置11によって、最後に第２の操作部37を操作したこと、すなわち消灯操作したことを確認することができる。したがって、ここでは、照明器具12は消灯状態にある。
【００３３】
そして、照明器具12を点灯させる場合には、スイッチ装置11の第１の操作部36を押動操作する。図５に示すように、第１の操作部36を押動操作すると、操作体17が軸35を支点として揺動する。
【００３４】
図１において、第１の操作部36を押動操作によって操作体17が軸35を支点として揺動すると、第１の接点作用部38で送信器16の第１の接点部27を押圧して接点を閉じ、第１の発電作用部40で送信器16の第１の揺動部29を後方へ押動し、発電部31が発電する。第１の接点部27が閉じている状態で発電部31が発電するため、発電部31が発電した電力によって送信部32が第１の無線信号を送信する。
【００３５】
そのため、照明器具12の受信部66が予め対応付けられているスイッチ装置11からの第１の無線信号を受信し、制御部67によって点灯装置65を制御し、光源64を点灯させる。
【００３６】
図３において、第１の操作部36を押動操作によって操作体17が軸35を支点として揺動すると、第１の表示作用部44によって移動体47の第１の溝部57の後側の傾斜面を後方へ押すとともに、第２の表示作用部45によって移動体47の第２の溝部58の前側の傾斜面を前方へ引くため、図５に示すように、移動体47が第１の方向A1（右方向）に移動する。
【００３７】
このとき、移動体47の溝56の第１の縁部56aで表示体46を第１の方向A1（右方向）に押すため、移動体47とともに表示体46が一緒に移動し、第１の表示部51が表示窓23の後方に移動する。さらに、図４に示すように、表示体46の下面の窪み部54が保持体48の突部60に係合しているが、移動体47の溝56の縁で表示体46を第１の方向A1（右方向）に押されることで、表示体46が上方へ移動しながら窪み部54が係合していた突部60を乗り越え、隣の突部60に係合する。
【００３８】
一方、第１の操作部36の押動操作を解除すると、送信器16の前方へばね付勢されている第１の揺動部29によって第１の発電作用部40を前方へ押し、操作体17を筐体15の前面に平行な定位置に戻す。
【００３９】
後方へ押動されていた第１の揺動部29が前方へ戻る際にも、発電部31が発電する。このときにも、第１の接点部27が閉じている状態で発電部31が発電するため、発電部31が発電した電力によって送信部32が第１の無線信号を再度送信する。そのため、第１の無線信号を再度送信することにより、スイッチ装置11と照明器具12との距離や無線通信の障害物の影響があっても、第１の無線信号を照明器具12で受信しやすくできる。
【００４０】
図５において、操作体17が軸35を支点として揺動すると、第１の表示作用部44によって移動体47の第１の溝部57の前側の傾斜面を前方へ引くとともに、第２の表示作用部45によって移動体47の第２の溝部58の後側の傾斜面を後方へ押すため、図６に示すように、移動体47が第２の方向A2（左方向）に移動して定位置に復帰する。
【００４１】
このとき、図５に示すように、表示体46と溝56の第２の縁部56bとの間には第１の表示部51または第２の表示部52の幅分の空間があるため、図６に示すように、移動体47が第２の方向A2（左方向）に移動して定位置に復帰しても、表示体46を溝56の第２の縁部56bで押すことはない。そのため、表示体46は、移動体47とともに移動せず、第１の表示部51が表示窓23の後方にある位置にとどまる。この表示体46の位置を保持体48によって保持している。
【００４２】
したがって、最後に点灯用の第１の操作部36が操作されたことを示す第１の表示部51が表示窓23に表示されている。そのため、表示窓23から表示される第１の表示部51を見ることにより、スイッチ装置11によって、最後に第１の操作部36を操作したこと、すなわち点灯操作したことを確認することができる。
【００４３】
また、照明器具12を消灯させる場合には、スイッチ装置11の第２の操作部37を押動操作する。第２の操作部37を押動操作したときの動作は、上述した第１の操作部36を押動操作したときの動作と同様であり、送信器16は第２の無線信号を送信し、照明器具12が消灯する。
【００４４】
スイッチ装置11の表示窓23には、最後に消灯用の第２の操作部37が操作されたことを示す第２の表示部52が表示される。そのため、表示窓23から表示される第２の表示部52を見ることにより、スイッチ装置11によって、最後に第２の操作部37を操作したこと、すなわち消灯操作したことを確認することができる。
【００４５】
以上のように、表示機構18によってスイッチ操作状態を表示できる自己発電型無線通信技術を用いたスイッチ装置11を提供することができる。
【００４６】
また、表示機構18は、押動操作される第１または第２の操作部36，37の動きに応じてその押動操作方向に対して交差する第１または第２の方向A1，A2に移動する移動体47と、この移動体47の移動によって第１の表示部51と第２の表示部52の表示を切り換える表示体46を備え、簡単な構成でかつ前後方向の寸法の小さい構成にできる。
【００４７】
また、表示機構18は、押動操作される第１の操作部36の動きに応じてその押動操作方向に対して交差する第１の方向A1に移動するとともに、押動操作される第２の操作部37の動きに応じてその押動操作方向に対して交差する第２の方向A1に移動する移動体47と、移動体47の第１の方向A1への移動によって第１の表示部51を表示するとともに、移動体47の第２の方向A2への移動によって第２の表示部52を表示する表示体46とを備えるため、第１の操作部36および第２の操作部37の押動操作に連動して、第１の表示部51と第２の表示部52の表示を切り換えることができる。
【００４８】
また、表示体46は、移動体47が定位置から第１の方向A1および第２の方向A2にそれぞれ移動するときに押動されて各方向A1，A2に移動するとともに、移動体47が定位置へ復帰するときには移動せずにとどまるため、最後に操作したスイッチ操作状態を継続して表示することができる。
【００４９】
また、保持体48により、移動体47による表示体46の移動を可能としながら、移動体47によって移動された表示体46を保持することができるため、表示体46の位置ずれを防止でき、正確な表示を行うことができる。
【００５０】
なお、操作体17の両端に第１および第２の表示作用部44，45を設けるとともに、移動体47の両端に第１および第２の溝部57，58を設けているが、少なくとも一端側にあればよい。例えば、第１の表示作用部44および第１の溝部57のみであっても、操作体17の第１の操作部36および第２の操作部37のいずれを押動操作した場合でも移動体47を対応する方向に移動させることができるとともに、操作体17および移動体47を定位置に戻すことができる。
【００５１】
また、移動体47は、筐体15の幅方向に移動する構造としたが、例えば回動する構造でもよい。この回動する構造の場合、第１の方向A1と第２の方向A2とは反対方向でもよいし、同じでもよい。
【００５２】
また、上下方向に２つの操作部17を有するスイッチ装置11を構成する場合には、例えば図１に示すスイッチ装置11の構成の下側に上下方向を反転させたスイッチ装置11を設け、筐体15を共通化するように構成すればよい。
【００５３】
あるいは、上下方向に２組の接点部27，28を有する送信器16を用いてもよく、この場合には、上下の接点部27，28毎に上下の操作部17を備えるとともに上下の操作部17毎に表示機構18を備えればよい。
【００５４】
なお、スイッチ装置11は、壁スイッチに限らず、持ち運び可能なリモコンスイッチでもよい。
【００５５】
また、スイッチ装置11は、照明装置10に適用する場合に限らず、例えば換気扇等の他の電気機器にも適用できる。
【００５６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５７】
10    照明装置
11    スイッチ装置
12    照明器具
16    送信器
18    表示機構
36    第１の操作部
37    第２の操作部
46    表示体
47    移動体
48    保持体
51    第１の表示部
52    第２の表示部
【図１】
2017027915.tif 000003
【図２】
2017027915.tif 000004
【図３】
2017027915.tif 000005
【図４】
2017027915.tif 000006
【図５】
2017027915.tif 000007
【図６】
2017027915.tif 000008
【図７】
2017027915.tif 000009
【図８】
2017027915.tif 000010